【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
垂直に配向されたエフェクトグラフを利用してデジタルイメージデータを処理するための方法であって、前記デジタルイメージデータは前記エフェクトグラフの下部から前記エフェクトグラフの上部へと処理されていくものであり、
前記垂直に配向されたエフェクトグラフを受け取るステップであって、前記エフェクトグラフがその第１の垂直位置に配置された第１の変形エフェクトオブジェクトを有するものを、受け取るステップと、
前記第１の変形エフェクトオブジェクトが第２の垂直位置で前記デジタルイメージデータに適用可能であるかどうかを判別するステップであって、前記第２の垂直位置が前記第１の垂直位置よりも前記エフェクトグラフの下部に近いものを、判別するステップと、
を含む方法。
【請求項２】
前記第１の変形エフェクトオブジェクトが前記第２の垂直位置で前記デジタルイメージデータに適用可能であると判別された場合、前記第１の垂直位置ではなく前記第２の垂直位置で前記第１の変形オブジェクトを適用するステップをさらに含む、請求項１に記載の方法。
【請求項３】
前記第１の変形エフェクトオブジェクトが前記第２の垂直位置で前記デジタルイメージデータに適用可能でないと判別された場合、前記第１の垂直位置で前記第１の変形エフェクトオブジェクトを適用するステップをさらに含む、請求項１に記載の方法。
【請求項４】
第２の変形エフェクトオブジェクトは前記第２の垂直位置に配置される、請求項１に記載の方法。
【請求項５】
前記第１の変形エフェクトオブジェクトが前記第２の垂直位置で前記デジタルイメージデータに適用可能であると判別された場合、前記第１および第２の変形エフェクトオブジェクトを前記第２の垂直位置で累積的に適用するステップをさらに含む、請求項４に記載の方法。
【請求項６】
前記エフェクトグラフは、前記第１の垂直位置よりも前記エフェクトグラフの下部に近く、前記第２の垂直位置よりも前記エフェクトグラフの上部に近い、エフェクトオブジェクトを含み、前記第１の変形エフェクトオブジェクトが前記第２の垂直位置で前記デジタルイメージデータに適用可能であるかどうかを判別するステップは、前記エフェクトオブジェクトが、前記第１の変形エフェクトオブジェクトに従って変形されたデジタルイメージデータを処理することが可能であるかどうかに関する入力を受け取るステップをさらに含む、請求項１に記載の方法。
【請求項７】
前記エフェクトオブジェクトが、前記第１の変形エフェクトオブジェクトに従って変形されたデジタルイメージデータを処理することが可能であるかどうかに関する入力を受け取るステップが、前記エフェクトオブジェクトから前記入力を受け取るステップを含む、請求項６に記載の方法。
【請求項８】
前記第１の変形エフェクトオブジェクトは少なくとも２つの部分を含み、前記エフェクトオブジェクトが、前記第１の変形エフェクトオブジェクトに従って変形されたデジタルイメージデータを処理することが可能であるかどうかに関する入力を受け取るステップが、前記エフェクトオブジェクトが、前記少なくとも２つの部分のそれぞれに従って変形されたデジタルイメージデータを処理することが可能であるかどうかに関する入力を受け取るステップを含む、請求項６に記載の方法。
【請求項９】
前記エフェクトオブジェクトが、前記少なくとも２つの部分のすべてより少ない部分に従って変形されたデジタルイメージデータを処理することが可能であることを示す入力を受け取った場合、前記エフェクトオブジェクトが、前記第１の垂直位置ではなく前記第２の垂直位置でそれに従って変形されたデジタルイメージデータを処理することができる、前記変形オブジェクトのそれらの部分のみを適用するステップをさらに含む、請求項８に記載の方法。
【請求項１０】
前記請求項１に記載の方法を実行するためのコンピュータ実行可能命令を有する、１つまたは複数のコンピュータ読み取り可能媒体。
【請求項１１】
垂直に配向されたエフェクトグラフを利用してデジタルイメージデータを処理するためのシステムであって、
前記垂直に配向されたエフェクトグラフを受け取るための受け取り構成要素であって、前記エフェクトグラフが第１の垂直位置に配置された第１の変形エフェクトオブジェクトを有する、受け取り構成要素と、
前記第１の変形エフェクトオブジェクトが第２の垂直位置で前記デジタルイメージデータに適用可能であるかどうかを判別するための判別構成要素であって、前記第２の垂直位置が前記第１の垂直位置よりも前記エフェクトグラフの下部に近い、判別構成要素と、
前記第１の変形エフェクトオブジェクトが前記第２の垂直位置で適用可能であると判別された場合、前記第１の垂直位置ではなく前記第２の垂直位置で、前記第１の変形エフェクトオブジェクトを適用するための適用構成要素と、
を備えるシステム。
【請求項１２】
前記エフェクトグラフは、前記第１の垂直位置よりも前記エフェクトグラフの下部に近く、前記第２の垂直位置よりも前記エフェクトグラフの上部に近い、エフェクトオブジェクトを含み、前記システムは、前記エフェクトオブジェクトが前記変形エフェクトオブジェクトに従って変形されたデジタルイメージデータを処理することが可能であるかどうかに関する入力を、前記エフェクトオブジェクトから受け取るための入力受け取り構成要素をさらに備える、請求項１１に記載のシステム。
【請求項１３】
第２の変形エフェクトオブジェクトは前記第２の垂直位置に配置され、前記システムは、前記第１および第２の変形エフェクトオブジェクトを累積するための累積構成要素をさらに備える、請求項１１に記載のシステム。
【請求項１４】
垂直に配向されたエフェクトグラフを利用してデジタルイメージデータを処理するための方法であって、
初期変形値を有するデジタルイメージデータを受け取るステップと、
少なくとも１つの変形エフェクトオブジェクトを有する前記エフェクトグラフを受け取るステップと、
前記少なくとも１つの変形エフェクトオブジェクトで受け取った前記デジタルイメージデータを、前記初期変形値から第１の変形済み変形値に変形するステップと、
前記少なくとも１つの変形エフェクトオブジェクトで受け取った前記デジタルイメージデータを、前記初期変形値から第２の変形済み変形値に変形するステップと、
を含む方法。
【請求項１５】
前記第１および第２の変形値を示す入力を受け取るステップをさらに含む、請求項１４に記載の方法。
【請求項１６】
前記受け取ったデジタルイメージデータを前記初期変形値から第１の変形済み変形値に変形するステップに続いて、前記受け取ったデジタルイメージデータを再サンプリングするステップと、
前記第１の変形値を有する修正済みデジタルイメージデータを作成するステップと、
をさらに含む、請求項１４に記載の方法。
【請求項１７】
前記受け取ったデジタルイメージデータを前記初期変形値から第２の変形済み変形値に変形するステップに続いて、前記受け取ったデジタルイメージデータを再サンプリングするステップと、
前記第２の変形値を有する修正済みデジタルイメージデータを作成するステップと、
をさらに含む、請求項１４に記載の方法。
【請求項１８】
前記初期変形値と前記第１の変形値との差を少なくとも一部含む累積値として、前記第２の変形値を計算するステップをさらに含む、請求項１４に記載の方法。
【請求項１９】
前記請求項１４に記載の方法を実行するためのコンピュータ実行可能命令を有する、１つまたは複数のコンピュータ読み取り可能媒体。